(57)【特許請求の範囲】
【請求項１】
リチウム塩またはストロンチウム塩0.04〜0.1重量％、プロピレングリコール40〜60重量％、エチルセロソルブ20〜30重量％、ジメチルホルムアミド10〜30重量％、カンフル0.3〜1重量％、テレビンオイル0.01〜0.1重量％、ラウリルアルコール0.2〜2重量％、エチルアルコール5〜10重量％で構成されることを特徴とする赤色火炎発現燈油組成物。
【請求項２】
硼酸3.5〜4重量％、プロピレングリコール40〜60重量％、エチルセロソルブ20〜30重量％、ブタノール10〜30重量％、エチルアルコール5〜10重量％、カンフル0.3〜1重量％、テレビンオイル0.01〜0.1重量％、ラウリルアルコール0.2〜2重量％で構成されることを特徴とする緑色火炎発現燈油組成物。
【請求項３】
硼砂0.02〜0.1重量％、ナトリウム0.02〜0.1重量％、エチルアルコール5〜10重量％、プロピレングリコール40〜60重量％、エチルセロソルブ20〜30重量％、ブタノール5〜10重量％、カンフル0.5〜1重量％、テレビンオイル0.01〜0.1重量％、ラウリルアルコール0.3〜0.5重量％で構成されることを特徴とするオレンジ色火炎発現燈油組成物。
【請求項４】
バリウム塩0.02〜0.1重量％、カルシウム塩0.02〜0.1重量％、エチルアルコール5〜10重量％、プロピレングリコール40〜60重量％、エチルセロソルブ20〜40重量％、ブタノール10〜20重量％、カンフル0.5〜1重量％、テレビンオイル0.01〜0.1重量％、ラウリルアルコール0.3〜0.5重量％で構成されることを特徴とする黄色火炎発現燈油組成物。
【請求項５】
銅塩0.04〜0.1重量％、ブタノール5〜10重量％、エチルアルコール5〜10重量％、プロピレングリコール40〜55重量％、エチルセロソルブ25〜35重量％、ジメチルホルムアミド5〜10重量％、カンフル0.3〜1.0重量％、テレビンオイル0.01〜0.1重量％、ラウリルアルコール0.1〜0.5重量％で構成されることを特徴とする青色火炎発現燈油組成物。
【請求項６】
カリウム塩0.1〜0.5重量％、セリウム塩0.5〜1.0重量％、エチルアルコール5〜10重量、プロピレングリコール40〜55重量％、ブタノール10〜15重量％、エチルセロソルブ20〜30重量％、ジメチルホルムアミド5〜10重量％、カンフル0.3〜1.0重量％、テレビンオイル0.01〜0.1重量％、ラウリルアルコール0.1〜0.5重量％で構成されることを特徴とする紫色火炎発現燈油組成物。
【請求項７】
セシウム塩0.5〜1.0重量％、エチルアルコール5〜10重量％、プロピレングリコール40〜55重量％、ブタノール10〜15重量％、エチルセロソルブ20〜30重量％、ジメチルホルムアミド5〜10重量％、カンフル0.3〜1.0重量％、テレビンオイル0.01〜0.1重量％、ラウリルアルコール0.1〜0.5重量％で構成されることを特徴とする薄紫色火炎発現燈油組成物。
【請求項８】
ニトロメタン50〜60重量％、エチルアルコール5〜10重量％、ジメチルホルムアミド30〜40重量％、カンフル0.5〜1.0重量％、テレビンオイル0.01〜0.1重量％、ラウリルアルコール0.3〜0.5重量％で構成されることを特徴とするホワイトローズ色火炎発現燈油組成物。
【請求項９】
リチウム塩またはストロンチウム塩0.04〜0.1重量％、硼酸3〜4重量％、銅塩0.01〜0.05重量％、プロピレングリコール40〜60重量％、エチルセロソルブ20〜30重量％、ジメチルホルムアミド10〜30重量％、カンフル0.3〜1.0重量％、テレビンオイル0.01〜0.1重量％、ラウリルアルコール0.2〜2重量％、エチルアルコール5〜10重量％で構成されることを特徴とする虹色火炎発現燈油組成物。
【請求項１０】
a) 容器内にエチルアルコールと発色剤を入れ、常温または40〜50℃で攪拌して完全に溶解した後、超音波を加えて第1溶液を製造する段階；
b) 攪拌槽に前記第1溶液を入れて燃料を添加した後、攪拌して安定化されたコロイド溶液を製造する段階；
c) 電解槽に前記第1溶液を入れて燃料を添加した後、金属塩を電気分解して安定化されたコロイド溶液を製造する段階；
d) 前記b)またはc)段階で製造した安定化されたコロイド溶液に助燃剤用燃料および香料を添加して加熱攪拌した後、常温で冷却する段階を含む請求項１〜９のうちのいずれか一項に記載の有色火炎発現燈油組成物の製造方法。
【請求項１１】
前記b)およびc)段階で用いられる燃料がジメチルエーテル(Dimethyl ether)、エチルメチルエーテル(Ethyl methyl ether)、ジエチルエーテル(Diethyl ether)、ジプロピルエーテル(Dipropyl ether)、ジイソプロピルエーテル(Diisopropyl ether)、ジブチルエーテル(Dibutyl ether)、1，2‐ジメトキシエタン(1，2‐dimethoxyethane)、テトラヒドロフラン(tetrahydrofuran)、1，4‐ジオキサン(1，4‐dioxane)、メトキシベンゼン(methoxybenzene)、ビニルイソブチルエーテル(Vinyl isobutylether)、β，β’−ジクロロジエチルエーテル(Dichlorodiethylether)、ジブロモクレシルグリシジルエーテル(Dibromocresylglicidylether)などのようなエーテル類と、ポリエーテルイミド(Poly ether imide)、ブチルセロソルブ(Butyl cellosolve)、エチルセロソルブ(Ethyl cellosolve)、メチルアミン(methylamine)、エチルアミン(ethylamine)、プロピルアミン(propylamine)、イソプロピルアミン(isopropylamine)、ブチルアミン(butylamine)、イソブチルアミン(isobutylamine)、sec‐ブチルアミン(sec‐butylamine)、tert‐ブチルアミン(tert‐butylamine)、サイクロへキシルアミン(cyclohexylamine)、ベンジルアミン(benzylamine)、トリメチルアミン(trimethylamine)、トリエチルアミン(triethylamine)、トリプロピルアミン(tripropylamine)、N，N‐ジメチルアニリン(N，N‐dimethylaniline)、ジエチルアミノエチルアミン(Diethylaminoethylamine)、α‐ナフチルアミン(α‐Naphthylamine)、3‐メトキシプロピルアミン(3‐Methoxypropylamine)、アルコキシプロピルアミン(Alkoxy propylamine)、ポリオキシエチレンオレイルアミン(Polyoxyethylene  oleylamine)などのようなアミン類で成る群から選ばれたいずれか一つであることを特徴とする請求項１０記載の有色火炎発現燈油組成物の製造方法。
【請求項１２】
前記d)段階で用いられる燃料がメタノール(Methanol)、エタノール(Ethanol)、プロピルアルコール(propyl alcohol)、イソプロピルアルコール(isopropyl alcohol)、ブチルアルコール(butyl alcohol)、イソブチルアルコール(isobutyl alcohol)、sec‐ブチルアルコール(sec‐butyl alcohol)、tert‐ブチルアルコール(tert‐butyl alcohol)、ペンチルアルコール(pentyl alcohol)、ヘキシルアルコール(hexyl alcohol)、へプチルアルコール(heptyl alcohol)、オクチルアルコール(octyl alcohol)、ノニルアルコール(nonyl  alcohol)、デシルアルコール(decyl alcohol)、アリルアルコール(allyl  alcohol)、サイクロペンタノール(cyclopentanol)、サイクロヘキサノール(cyclohexanol)、ベンジルアルコール(benzyl alcohol)などのようなアルコール類、プロピレングリコール(propylene glycol)、エチレングリコール(ethylene glycol)、ジプロピレングリコール(dipropylene glycol)、グリセロール(glycerol)、ジエチレングリコール(diethylene glycol)、トリエチレングリコール(triethylene glycol)、トリメチレングリコール(trimethylene glycol)、ヘキシレングリコール(hexylene glycol)、ブチレングリコール(butylene glycol)、1，3‐ブタンジオル(1，3‐butanediol)、チオジエチレングリコール(Thiodiethylene glycol)、アンモニウムチオグリコレート(Ammonium thioglycolate)、セファトリジンプロピレングリコール(Cefatrizine propylene  glycol)、ポリプロピレングリコール(Polypropylene glycol)、プロピレングリコールアルジネート(Propylene glycol alginate)などのようなグリコール類、およびジクロロメタン(Dichloromethane)、ブチルアセテート(Butyl acetate)、アセトン(Acetone)、アセトニトリル(Acetonitrile)、エチルアセテート(Ethyl  acetate)で成る群から選ばれたいずれか一つであることを特徴とする請求項１０記載の有色火炎発現燈油組成物の製造方法。
【請求項１３】
前記香料がカンフルまたはテレビンオイルであることを特徴とする請求項１０記載の有色火炎発現燈油組成物の製造方法。
【発明の詳細な説明】
【０００１】
【発明の属する技術分野】
本発明は有色の火炎を発現する燈油の組成物およびその製造方法に関し、より詳細には、室内装飾または多様な祝祭用として用いるための燦爛な有色の火炎を発現し得る燈火用燃料組成物とその望ましい製造方法に関する。
【０００２】
【従来の技術】
従来、室内装飾用または祝祭用として有色の火炎を発現する芯(wick)を利用するランプ(lamp)用燈油が公知にされてはいるが(韓国特許公報第01‐1240号および第00‐73621号)、これは単に赤色と緑色の火炎を発現する燈油についてのみ公知にされているだけである。また、前記発明において発色剤の役割をする金属コロイド溶液は、単にアルコール溶液内で金属を電気分解した後、高圧オーブン内で密閉加熱して製造しただけで、発色塩がコロイド溶液内に均一に分散されないため、燃焼時に有色火炎が安定的に発現されなく、火炎の色も鮮明でなく綺麗でない短所がある。また、溶剤の安定性が劣るので長期間保存し難い問題点がある。
【０００３】
【発明が解決しようとする課題】
本発明は前記の点を勘案して案出したもので、発色剤の役割をするコロイド溶液内における発色塩の分散力を増加させて燃焼時の有色火炎が安定的で持続的に発現されて有色火炎の色も一層鮮明であり、燦爛な色に発現されうる有色火炎燈油組成物およびその製造方法を提供することにその目的がある。
【０００４】
本発明の別の目的は、揮発性溶剤を適切な構成比に調節して用いることにより、有色火炎が安定的に発現され長期間保存可能な有色火炎の燈油組成物とその製造方法を提供することにある。
【０００５】
本発明の前記目的は、燃焼時に有色火炎を提供し得る発色塩が均一に分散されたコロイド溶液を製造し、前記溶液に燃料・助燃剤および香料を添加して加熱攪拌した後に冷却して有色火炎発現燈油組成物を製造することにより達成した。
【０００６】
【課題を解決するための手段】
本発明の有色火炎燈油組成物は、有色火炎を発現し得る発色剤を選び製造する段階；
安定的な燈油用発色コロイド溶液を製造する段階；
前記安定的な燈油用発色コロイド溶液に燃料・助燃剤および香料を添加して加熱攪拌した後に冷却して製造することを特徴とする。
【０００７】
本発明の有色火炎燈油組成物の発色剤は、火炎の色の種類によって異に選択した。このような発色剤の選択は、本発明組成物の燃焼時に固有の火炎を発生して特独な装飾効果を提供するようになる。
【０００８】
本発明の有色火炎組成物は、発色剤の種類によって赤色・緑色・オレンジ色・黄色・青色・紫色・薄紫色・ホワイトローズ色および虹色の火炎を提供することができ、その製造工程においても若干の差異点が生じるようになる。
【０００９】
本発明において、グリコール類であるプロピレングリコール(Propylene  glycol)は、分子構造上エーテル(ether)結合が可能であり、末端に水酸化基(−OH)があるため、発色剤の溶解分散が卓越であり、安定性にも最適である。しかし、粘性が高いため芯の吸収が不安であり、引火点が高いため着火が困難な短所がある。
【００１０】
本発明はこのような点を補完し克服するためにエチレングリコールエチルエーテル(Ethylene glycol ethyl ether)、エチレングリコールモノメチルエーテル(Ethylene Glycol monomethyl ether)などのようなエーテル類と、ジメチルホルムアミドおよびトリメチルアミンのようなアミン類を適切な比で添加して引火性を向上させただけでなく、発色剤の溶解分散を円滑にした。また、エチルアルコール(Ethyl alcohol)などのようなアルコール類を添加してその効果を極大化した。
【００１１】
本発明は石油やパラフィンのように無激性の化学構造を有する物質でなく、発色剤を容易に発散させうる溶媒ではあるが、芯に吸収能力が不良な点があるため、毛細管連結を円滑にしてやるためにラウリルアルコールを用いた。ラウリルアルコールはプロピレングリコール、エチレングリコールモノエチルエーテル、メチルエーテル、エチルアルコールなどに拒否感なく容易に分散されて、ラウリルアルコールの脂肪酸が芯に継続的に燈油を供給してやる役割をするようになる。
【００１２】
カンフルは香料としても用いられるが、助燃剤としても立派な役割をし、テレビンオイルは松の香りが漂う香料であって香料補助役割のみならず火力増強剤としても強力な役割をするので添加する。
【００１３】
本発明は燃焼物が人体に有害でなく公害物質が生成されないため、従来のパラフィンや石油燃料よりずっと衛生的であり、煤が全くないという長所がある。芯の硬化を減らすためにラウリルアルコール(Lauryl alcohol)とテレビンオイル(Turpentine oil)を用いることにより持続的に長時間使用が可能になった。また、燈油組成物に含まれたグリコール類は発火点が比較的に高いため、不注意により燈油を入れたランプが転覆した場合にも燈油組成物が容易に引火されない長所がある。
【００１４】
本発明において安定的な燈油用発色コロイド溶液製造に必要な燃料としては、ジメチルエーテル，エチルメチルエーテル、ジエチルエーテル、ジプロピルエーテル、ジイソプロピルエーテル、ジブチルエーテル、１，２‐ジメトキシエタン、テトラヒドロフラン、１，４‐ジオキサン、メトキシベンゼン、ビニルイソブチルエーテル、β，β’‐ジクロロジエチルエーテル、ジブロモクレシルグリシジルエーテルなどのようなエーテル類と、ポリエーテルイミド、ブチルセロソルブ、エチルセロソルブ、メチルアミン、エチルアミン、プロピルアミン、イソプロピルアミン、ブチルアミン、イソブチルアミン、sec‐ブチルアミン、tert‐ブチルアミン、サイクロへキシルアミン、ベンジルアミン、トリメチルアミン、トリエチルアミン、トリプロピルアミン、N，N‐ジメチルアニリン、ジエチルアミノエチルアミン、α‐ナフチルアミン、３‐メトキシプロピルアミン、アルコキシプロピルアミン、ポリオキシエチレンオレイルアミンなどのようなアミン類を用いることができる。
【００１５】
また、燈油の安定的な発現のための燃料兼助燃剤としては、メタノール、エタノール、プロピルアルコール、イソプロピルアルコール、ブチルアルコール、イソブチルアルコール、sec‐ブチルアルコール、tert‐ブチルアルコール、ペンチルアルコール、ヘキシルアルコール、へプチルアルコール、オキチルアルコール、ノニルアルコール、デシルアルコール、アリルアルコール、サイクロペンタノール、サイクロへキサノール、ベンジルアルコールなどのようなアルコール類、プロピレングリコール、エチレングリコール、ジプロピレングリコール、グリセロール、ジエチレングリコール、トリエチレングリコール、トリメチレングリコール、へキシレングリコール、ブチレングリコール、１，３‐ブタンジオール、チオジエチレングリコール、アンモニウムチオグリコレート、セファトリジンプロピレングリコール、ポリプロピレングリコール、プロピレングリコールアルジネートなどのようなグリコール類、およびジクロロメタン、ブチルアセテート、アセトン、アセトンニトリル、エチルアセテートを代替して用いることができる。
【００１６】
前記の如き燃料物質の使用と組成比率の変更は、本発明が開示された後に当業者がいくらでも変更実施することができ、従って、当業者のこのような選択と数値の変更は本発明の権利範囲に含まれる。
【００１７】
【発明の実施の形態】
本発明を実施例により詳細に説明する。
【００１８】
実施例１：赤色火炎発現燈油組成物の製造
本発明の赤色火炎発現燈油組成物の構成は下記表１の通りである。
【００１９】
【表１】
0003764391.tif 000002
本発明の赤色火炎発現燈油組成物の製造方法は下記の通りである。
【００２０】
先ず、赤色火炎を発現し得る発色剤を製造する段階で、容器内にエチルアルコールと発色塩としてリチウム塩またはストロンチウム塩を入れ、30℃で30分間超音波を加えて第1溶液を作った。前記工程により発色塩はエチルアルコール内に均一に分散されるようになる。
【００２１】
次に、安定的な燈油用発色コロイド溶液を製造する段階で、ジメチルホルムアミド(Dimethylformamide)とエチルセロソルブ(ethyl cellosolve)を第1溶液に混合した後、下記の二つの工程でそれぞれ赤色火炎発現コロイド溶液を製造した。下記の二つの工程のうち任意にいずれか一つの工程を選ぶことができる。
【００２２】
1) 攪拌槽に第1溶液を入れ、40〜50℃でジメチルホルムアミドとエチルセロソルブを添加した後、50〜250RPMで攪拌して安定化された赤色火炎発現コロイド溶液を製造した。
【００２３】
2) 電解槽に第1溶液を入れ、40〜50℃でジメチルホルムアミドとエチルセロソルブを添加した後、金属ストロンチウムを両極(cathode)にして30℃でDC12Vと10〜15Amp／cmの電圧および電流条件で30分間電気分解した。前記の通り電気分解して得た溶液を高圧オーブンに約50℃で密閉加熱して安定化された赤色火炎発現コロイド溶液を製造した。
【００２４】
最後に、重合槽に前記安定化された赤色火炎発現コロイド溶液を入れ、50〜60℃に50〜250RPMで攪拌しながら徐々にプロピレングリコールを添加した。攪拌開始後10分が過ぎてカンフル、ラウリルアルコールおよびテレビンオイルを添加し、更に20分間加熱攪拌した後、常温で冷却した。
【００２５】
前記の通り製造された本発明の組成物は、無色透明な液状構造を有し、大気中で燃焼させるとリチウム塩とストロンチウム塩を含んでいるコロイド溶液により燦爛な赤色の有色火炎が発現するようになる。
【００２６】
本発明で用いられる発色塩の量は化粧品等に用いられる量よりずっと少ないが(0.04〜0.1重量％)、燃焼時に燦爛な赤色火炎を発現するので装飾照明に使用可能である。
【００２７】
前記成分のうち赤色火炎を発現し得る発色剤としては、リチウムアセテート、リチウムアセトアセテート、リチウムアセチルアセトネート、リチウムアミド、リチウムコロライド、リチウムフルオライド、リチウムニトレート、リチウムサルフェート、ストロンチウムアセテート、ストロンチウムアセチルアセトネート、ストロンチウムカーボネート、ストロンチウムクロライド、ストロンチウムニトレート、ストロンチウムオキサレートまたはストロンチウムサルフェートのようなリチウム塩とストロンチウム塩類が用いられる。
【００２８】
実施例２：緑色火炎発現燈油組成物の製造
本発明の緑色火炎発現燈油組成物の構成は下記表２の通りである。
【００２９】
【表２】
0003764391.tif 000003
本発明の緑色火炎発現燈油組成物の製造方法は下記の通りである。
【００３０】
先ず、緑色火炎を発現し得る発色剤を製造する段階で、容器内にエチルアルコールと硼酸を入れ、常温または温度40〜50℃で攪拌しながら完全に溶解した後、30℃で30分間超音波を加えて第1溶液を作った。前記工程により硼酸はエチルアルコール内に均一に分散されるようになる。
【００３１】
次に、安定的な燈油用発色コロイド溶液の製造段階で、第1溶液を攪拌槽に入れ、40〜50℃でブタノールとエチルセロソルブを添加した後、50〜250RPMで加熱攪拌して安定化された緑色火炎発現コロイド溶液を製造する。
【００３２】
最後に、重合槽に前記安定化された緑色火炎発現コロイド溶液を入れ、50〜60℃で50〜250RPMで攪拌しながら徐々にプロピレングリコールを添加した。攪拌開始後10分が過ぎてカンフル、ラウリルアルコールおよびテレビンオイルを添加して、更に20分間加熱攪拌した後、常温で冷却した。
【００３３】
前記の通り製造された本発明の燈油組成物は、無色透明な液状構造を有し、硼酸を含んでいるため、大気中で燃焼させると燦爛な緑色火炎が発現する。本発明の発色塩である硼酸は、化粧品・防腐剤・歯磨き剤・消毒剤に用いられる人体に殆ど無害な薬品であって、燈油の発色剤として用いる場合、室外だけでなく室内でいくらでも使用可能である。
【００３４】
本発明の燈油組成物は、燃焼時に硼酸が芯の温度でも十分に理想的に燃焼可能であるため、芯が固まらないという特徴がある。
【００３５】
緑色火炎を発現し得る発色剤としては硼酸の外に金属塩があるが、安定性が劣るので用いられない。
【００３６】
実施例３：オレンジ色火炎発現燈油組成物の製造
本発明のオレンジ色火炎発現燈油組成物の構成は下記表３の通りである。
【００３７】
【表３】
0003764391.tif 000004
本発明のオレンジ色火炎発現燈油組成物の製造方法は下記の通りである。
【００３８】
先ず、オレンジ色火炎を発現し得る発色剤製造段階で、容器内にエチルアルコール、硼砂およびナトリウム塩を入れ、常温または40〜50℃の温度で攪拌しながら塩類を完全に溶解した後、30℃で30分間超音波を加えて第1溶液を作った。前記工程により発色塩である硼砂と塩化ナトリウムはエチルアルコール内に均一に分散されるようになる。
【００３９】
次に、安定的な燈油用発色コロイド溶液を製造する段階で、第1溶液を攪拌槽に入れ、40〜50℃でブタノールとエチルセロソルブを添加した後、50〜250RPMで加熱攪拌して安定化されたオレンジ色コロイド溶液を製造した。
【００４０】
最後に、重合槽に前記安定化されたオレンジ色火炎発現コロイド溶液を入れて、50〜60℃で攪拌しながら徐々にプロピレングリコールを添加した。攪拌開始後10分が過ぎてカンフル、ラウリルアルコールとテレビンオイルを添加して、更に20分間加熱攪拌した後、常温で冷却した。
【００４１】
前記の通り製造された本発明の燈油組成物は、無色透明な液状構造を有し、発色剤として硼砂と塩化ナトリウムを利用したオレンジ色火炎発現組成物であって、大気中で燃焼させると燦爛なオレンジ色が発現する。
【００４２】
本発明の硼砂と塩化ナトリウムは人体に殆ど無害な薬品であるため、本発明で発色剤として用いる場合にも有害な燃焼物を発生しない。また、本発明の硼砂と塩化ナトリウムが燃焼時に芯で発生する温度でも十分に理想的に燃焼可能であるため、芯が固まらない長所がある。
【００４３】
オレンジ色火炎を発現し得る発色剤としては硼砂と塩化ナトリウム、ソジウムアセテート、ソジウムアミド、シアン化ナトリウム、硝酸ナトリウムなどのようなナトリウムのうちから選んで用いることができる。
【００４４】
実施例４：黄色火炎発現燈油組成物の製造
本発明の黄色火炎発現燈油組成物の構成は下記表４の通りである。
【００４５】
【表４】
0003764391.tif 000005
本発明の黄色火炎発現燈油組成物の製造方法は下記の通りである。
【００４６】
先ず、黄色火炎を発現し得る発色剤を製造する段階で、容器内にエチルアルコールと発色塩であるバリウム塩とカルシウム塩を入れ、常温または40〜50℃で攪拌しながら完全に溶解した後、30℃で30分間超音波を加えて第1溶液を作った。前記工程により発色塩はエチルアルコール内に均一に分散されるようになる。
【００４７】
次に、安定的な燈油用発色コロイド溶液を製造する段階で、第1溶液を攪拌槽に入れ、40〜50℃でブタノールとエチルセロソルブを添加した後、50〜250RPMで加熱攪拌して安定化された黄色火炎発現コロイド溶液を製造した。
【００４８】
最後に、重合槽に前記安定化された黄色火炎発現コロイド溶液を入れ、50〜60℃で攪拌しながら徐々にプロピレングリコールを添加した。攪拌開始後10分が過ぎてカンフル、ラウリルアルコールおよびテレビンオイルを添加し、更に20分間加熱攪拌した後、常温で冷却した。
【００４９】
前記の通り製造された本発明の黄色火炎発現燈油組成物は、無色透明な液状構造を有し、バリウム塩とカルシウム塩を発色剤として利用することにより、大気中で燃焼させると淡い黄色が発現する。
【００５０】
黄色火炎を発現し得る発色剤としてはバリウムアセテート、バリウムクロライド、バリウムフルオライド、バリウムニトレート、バリウムオキサレート、バリウムサルフエートのようなバリウム塩と、カルシウムアセテートハイドレート、カルシウムフルオライド、カルシウムニトレート、カルシウムオキサレート、カルシウムサルフエートなどのようなカルシウム塩を用いることができる。
【００５１】
実施例５：青色火炎発現燈油組成物の製造
本発明の青色火炎発現燈油組成物の構成は下記表５の通りである。
【００５２】
【表５】
0003764391.tif 000006
本発明の青色火炎発現燈油組成物の製造方法は下記の通りである。
【００５３】
先ず、青色火炎を発現し得る発色剤を製造する段階で、容器内にエチルアルコールと銅塩を入れ、30℃で30分間超音波を加えて第1溶液を作った。前記工程により銅塩がエチルアルコール内に均一に分散されるようになる。
【００５４】
次に、安定的な燈油用発色コロイド溶液を製造する段階で、ジメチルホルムアミドとエチルセロソルブを第1溶液に混合した後、下記二つの工程でそれぞれ青色火炎発現コロイド溶液を製造した。下記の二つの工程のうち任意にいずれか一つの工程を選ぶことができる。
【００５５】
1) 攪拌槽に第1溶液を入れ、40〜50℃でジメチルホルムアミドとエチルセロソルブを添加した後、50〜250RPMで攪拌して安定化された青色火炎発現コロイド溶液を製造した。
【００５６】
2) 電解槽に第1溶液を入れ、40〜50℃でジメチルホルムアミドとエチルセロソルブを添加した後、金属銅を両極(cathode)にして30℃でDC12Vと10〜15Amp/cmの電圧および電流条件で30分間電気分解した。前記の通り電気分解して得た溶液を高圧オーブンに約250℃で密閉加熱して安定化された青色火炎発現コロイド溶液を製造した。
【００５７】
最後に、重合槽に前記安定化された青色火炎発現コロイド溶液を入れ、50〜60℃で攪拌しながら徐々にプロピレングリコールを添加した。  攪拌開始後10分が過ぎてカンフル、ラウリルアルコールおよびテレビンオイルを添加し、更に20分間加熱攪拌した後、常温で冷却した。
【００５８】
前記の通り製造された本発明の組成物は、青色の鮮明な液状構造であり、大気中で燃焼させると爽やかな青色火炎が安定的に発現するようになる。
【００５９】
青色火炎を発現し得る発色剤としては銅アセテート、銅アセチルアセトネート、銅クロライド、シアン化銅、水酸化銅、銅サルフエート、銅トリフルオロアセチルアセトネート、銅ニトレートなどのような銅塩のうちから選んで用いることができる。
【００６０】
実施例６：紫色火炎発現燈油組成物の製造
本発明の紫色火炎発現燈油組成物の構成は下記表６の通りである。
【００６１】
【表６】
0003764391.tif 000007
本発明の紫色火炎発現燈油組成物の製造方法は下記の通りである。
【００６２】
先ず、紫色火炎を発現し得る発色剤を製造する段階で、容器内にエチルアルコールと発色塩であるカリウム塩とセリウム塩を入れ、常温または40〜50℃で攪拌しながら塩類を完全に溶解した後、30℃で30分間超音波を加えて第1溶液を作った。前記工程により発色塩らがエチルアルコール内に均一に分散されるようになる。
【００６３】
次に、安定的な燈油用発色コロイド溶液を製造する段階で、第1溶液を攪拌槽に入れ、40〜50℃でブタノール、ジメチルホルムアミドおよびエチルセロソルブを添加した後、50〜250RPMで加熱攪拌して安定化された紫色火炎発現コロイド溶液を製造する。
【００６４】
最後に、重合槽に前記安定化された紫色火炎発現コロイド溶液を入れて、50〜60℃で攪拌しながら徐々にプロピレングリコールを添加した。攪拌開始後10分が過ぎてカンフル、ラウリルアルコールおよびテレビンオイルを添加して、更に20分間加熱攪拌した後、常温で冷却した。
【００６５】
前記の通り製造された本発明の組成物は、無色の透明な液状構造を有し、大気中で燃焼させるとセリウム塩と硝酸カリウムを含んでいるコロイド溶液により恍惚な紫色が発現する。
【００６６】
本発明で紫色火炎を発現し得る発色剤にはセリウム塩とカリウム塩が用いられる。セリウム塩にはセリウムアセテートハイドレート、セリウムアセチルアセトネートハイドレート、セリウムクロライド、セリウムニトレート、セリウムオキサレート、セリウムサルフエートなどがあり、カリウム塩にはアセト酸カリウム、ポタシウムアセチルアセトネートハイドレート、ポタシウムクロライド、塩素酸カリウム、シアン化カリウム、ポタシウムエトキシド、ポタシウムフェリシアニド、ポタシウムフルオライド、ポタシウムオキサレートモノヒドレート、ポタシウムサルフェート、ポタシウムソジウムタートレートテトラヒドレート、硝酸カリウムのうちから選んで用いることができる。
【００６７】
実施例７：薄紫色火炎発現燈油組成物の製造
本発明の薄紫色火炎発現燈油組成物の構成は下記表７の通りである。
【００６８】
【表７】
0003764391.tif 000008
本発明の薄紫色火炎発現燈油組成物の製造法は下記の通りである。
【００６９】
先ず、薄紫色火炎を発現し得る発色剤を製造する段階で、容器内にエチルアルコールと発色塩であるセシウム塩を入れ、常温または40〜50℃で攪拌しながら塩類を完全に溶解した後、30℃で30分間超音波を加えて第1溶液を作った。前記工程により発色塩がエチルアルコール内に均一に分散されるようになる。
【００７０】
次に、安定的な燈油用発色コロイド溶液を製造する段階で、第１溶液を攪拌槽に入れ、40〜50℃でブタノール、ジメチルホルムアミドおよびエチルセロソルブを添加した後、50〜250RPMで加熱攪拌して安定化された薄紫色火炎発現コロイド溶液を製造した。
【００７１】
最後に、重合槽に前記安定化された薄紫色火炎発現コロイド溶液を入れ、50〜60℃で攪拌しながら徐々にプロピレングリコールを添加した。攪拌開始後10分が過ぎてカンフル、ラウリルアルコールおよびテレビンオイルを添加して20分間加熱攪拌した後、常温で冷却した。
【００７２】
本発明の燈油組成物は無色の透明な液状構造を有し、セシウム塩を含んでいるため、大気中で燃焼させると薄紫色火炎が発現する。
【００７３】
本発明で薄紫色火炎を発現し得る発色剤としてはセシウム塩が用いられる。セシウム塩にはセシウムアセテート、セシウムアセチルアセトネート、セシウムクロライド、セシウムフルオライド、セシウムサルフェート、セシウムニトレート、セシウムオキサレートなどのうちから選んで用いることができる。
【００７４】
実施例８：ホワイトローズ色火炎発現燈油組成物の製造
本発明のホワイトローズ色火炎発現燈油組成物の構成は下記表８の通りである。
【００７５】
【表８】
0003764391.tif 000009
本発明のホワイトローズ色火炎発現燈油組成物の製造方法は下記の通りである。
【００７６】
先ず、ホワイトローズ色火炎を発現し得る安定的な燈油用発色溶液を製造する段階で、ニトロメタン溶液を重合槽に入れ、40〜50℃でエチルアルコールとジメチルホルムアミドを添加した後、50〜250RPMで10分間加熱攪拌した。前記溶液にカンフル、ラウリルアルコールおよびテレビンオイルを添加して20分間加熱攪拌した後、常温で冷却した。
【００７７】
本発明のホワイトローズ色は全体的には白色であり、外火炎がやや赤味を帯びている。
【００７８】
【表９】
0003764391.tif 000010
本発明の虹色火炎発現燈油組成物の製造方法は下記の通りである。
【００７９】
先ず、虹色火炎を発現し得る発色剤を選ぶ段階で、リチウム塩またはストロンチウム塩のうちから一つを選んだ後、銅塩類のうちから一つを選沢した。前記の通り選ばれた発色塩らをエチルアルコールおよび硼酸と共に容器内に入れ、常温または40〜50℃で攪拌しながら完全に溶解した。前記溶液を30℃で30分間超音波を加えて第1溶液を作った。前記工程により発色塩らはエチルアルコール内に均一に分散されるようになる。
【００８０】
次に、安定的な燈油用発色コロイド溶液を製造する段階で、第１溶液を攪拌槽に入れ、40〜50℃でジメチルホルムアミドとエチルセロソルブを添加した後、50〜250RPMで攪拌して安定化された虹色火炎発現コロイド溶液を製造した。
【００８１】
最後に、重合槽に前記安定化された虹色火炎発現コロイド溶液を入れ、50〜60℃で攪拌しながら徐々にプロピレングリコールを添加した。攪拌開始後10分が過ぎてカンフル、ラウリルアルコールとテレビンオイルを添加し、更に20分間加熱攪拌した後、常温で冷却した。
【００８２】
前記の通り製造された本発明の燈油組成物は鮮明な緑色の液状構造を有し、大気中で燃焼させるとリチウム塩(またはストロンチウム塩)、銅塩および硼酸を含むコロイド溶液により幻想的な虹色の火炎を発現する。本発明の虹色火炎は、火炎の下端部は赤色であり、中央部は黄色・青色および紫色などの諸色が混じっており、上端部は緑色を帯びている。
【００８３】
本発明で虹色の火炎を発現し得る発色剤としては、赤色火炎を発現させるときに用いたリチウム塩とストロンチウム塩、青色火炎を発現させるときに用いた銅塩および硼酸を用いることができる。
【００８４】
【発明の効果】
以上の実施例により分かる通り、本発明の有色火炎発現燈油組成物は人体に有害な金属塩類を用いなく、極めて微量の発色原料のみを用いて製造されたコロイド溶液を用いることにより、燃焼物が有害でなく公害物質が生成されないため、周囲の空気を汚染させないのみならず、匂いや煙が発生しない。また、発色塩がコロイド溶液内に均一に分散されて、燃焼時に有色火炎が安定的に発現するのみならず、火炎の色も鮮明であり、きれいに発現するため、祝祭用または室内の装飾用として適合な燈油組成物を提供することができる。本発明は燃焼時に芯が硬化されないため、持続的・安定的に長時間使用が可能である。また、燃料配合組成比と製造時に温度を最適に調整して、発火点が高いため不注意により燈油を入れたランプが転覆した場合にも容易に引火されないので、火災を防止する効果がある。